(57)【要約】【課題】製造工程の簡略化を図る。【解決手段】複数の接続部材５のそれぞれは、複数の入力端子部２２２のうちの対応する入力端子部２２２と電気的に接続される第１端子部５０と、複数の出力端子部４０５のうちの対応する出力端子部４０５と電気的に接続される第２端子部５１とを有している。さらに、複数の接続部材５のそれぞれは、第１端子部５０と第２端子部５１を電気的に接続している導電部５２を有している。複数の接続部材５のそれぞれが有する第１端子部５０は、対応する入力端子部２２２を基板２２１の厚み方向に沿って挟むように構成されている。【選択図】        図５
2017174569.tif 000002
【特許請求の範囲】
【請求項１】
光源部と、前記光源部に電力を供給する電源回路を有する電源装置と、前記光源部及び前記電源装置が取り付けられる取付部材と、前記電源回路と前記光源部を電気的に接続する複数の接続部材とを備え、
前記光源部は、１つ又は複数の固体光源と、前記１つ又は複数の固体光源が表面に配置される基板と、前記基板に設けられ、前記１つ又は複数の固体光源が電気的に接続される複数の入力端子部とを有し、
前記電源回路は、プリント配線板を有し、前記プリント配線板は、前記電源回路で生成される前記電力を出力する複数の出力端子部を有し、
前記取付部材は、板状に形成され、第１面に前記光源部が取り付けられ、前記第１面の裏面となる第２面に前記電源装置が取り付けられ、さらに、前記取付部材は、前記第１面から前記第２面に貫通する孔が設けられており、
前記複数の出力端子部は、前記取付部材の厚み方向から見て前記孔と重なる位置に配置されており、
前記複数の入力端子部は、前記取付部材の厚み方向から見て前記孔と重なる位置に配置されており、
前記複数の接続部材のそれぞれは、前記複数の入力端子部のうちの対応する入力端子部と電気的に接続される第１端子部と、前記複数の出力端子部のうちの対応する出力端子部と電気的に接続される第２端子部と、前記第１端子部と前記第２端子部を電気的に接続している導電部とを有し、
前記複数の接続部材のそれぞれが有する前記第１端子部は、前記対応する入力端子部を前記基板の厚み方向に沿って挟むように構成されていることを特徴とする光源ユニット。
【請求項２】
前記複数の接続部材のそれぞれは、前記第１端子部と前記第２端子部と前記導電部を支持するホルダを有し、前記ホルダは、前記プリント配線板に固定されており、
前記第１端子部は、接触片と、ばね片と、前記接触片と前記ばね片を連結する連結片とを有し、前記接触片と前記ばね片の間に、前記基板及び前記対応する入力端子部が差し込まれていることを特徴とする請求項１記載の光源ユニット。
【請求項３】
前記電源装置は、前記電源回路を収容するケースを有し、前記ケースは、一面が開放されている箱形に形成されており、前記電源装置は、前記取付部材の前記第２面で前記ケースの前記一面を塞ぐように前記第２面に取り付けられていることを特徴とする請求項１又は２記載の光源ユニット。
【請求項４】
請求項１〜３のいずれか１項に記載の光源ユニットと、前記光源ユニットを支持する器具本体とを備えたことを特徴とする照明器具。
【発明の詳細な説明】
【技術分野】
【０００１】
本発明は、光源ユニット及び照明器具に関し、より詳細には、光源と電源装置を備えた光源ユニット、及び当該光源ユニットを備えた照明器具に関する。
【背景技術】
【０００２】
光源ユニットの従来例として、特許文献１に記載されている光源ユニットを例示する。特許文献１記載の光源ユニットは、ＬＥＤ（発光ダイオード）が実装される基板と、基板が取り付けられる取付部材と、カバー部材と、電源装置とを備える。電源装置は、交流電源から供給される交流電力を直流電力に変換し、変換後の直流電力をＬＥＤに供給する。取付部材は、金属板により、長尺の矩形板状に形成されている。ＬＥＤが実装された基板は、取付部材の第１面に取り付けられる。カバー部材は、透光性を有する合成樹脂材料によって箱状に形成され、基板のＬＥＤが実装された面及び取付部材の第１面を覆うように取付部材に取り付けられる。また、取付部材の第２面（第１面の裏面）に電源装置が取り付けられる。電源装置は、電線を介して、基板に実装されているコネクタと電気的に接続される。ＬＥＤは、電線及びコネクタと、基板に形成されているプリント配線とを介して、電源装置から直流電力が供給されて発光（点灯）する。なお、取付部材は、電線が挿通される挿通孔を有している。また、特許文献１記載の照明器具は、光源ユニットと、光源ユニットが着脱可能に取り付けられる器具本体とを備えている。
【先行技術文献】
【特許文献】
【０００３】
【特許文献１】特開２０１４−１７９２１１号公報
【発明の概要】
【発明が解決しようとする課題】
【０００４】
ところで、特許文献１記載の光源ユニットの製造工程において、電源装置と基板のコネクタを電気的に接続する電線が、取付部材の挿通孔に挿通されなければならない。ゆえに、特許文献１記載の光源ユニットの構成は、製造工程の簡略化を図るには不十分である。
【０００５】
本発明の目的は、製造工程の簡略化を図ることができる光源ユニット及び照明器具を提供することである。
【課題を解決するための手段】
【０００６】
本発明の一態様に係る光源ユニットは、光源部と、前記光源部に電力を供給する電源回路を有する電源装置と、前記光源部及び前記電源装置が取り付けられる取付部材と、前記電源回路と前記光源部を電気的に接続する複数の接続部材とを備えている。前記光源部は、１つ又は複数の固体光源と、前記１つ又は複数の固体光源が表面に配置される基板と、前記基板に設けられ、前記１つ又は複数の固体光源が電気的に接続される複数の入力端子部とを有している。前記電源回路は、プリント配線板を有している。前記プリント配線板は、前記電源回路で生成される前記電力を出力する複数の出力端子部を有している。前記取付部材は、板状に形成され、第１面に前記光源部が取り付けられ、前記第１面の裏面となる第２面に前記電源装置が取り付けられている。さらに、前記取付部材は、前記第１面から前記第２面に貫通する孔が設けられている。前記複数の出力端子部は、前記取付部材の厚み方向から見て前記孔と重なる位置に配置されている。前記複数の入力端子部は、前記取付部材の厚み方向から見て前記孔と重なる位置に配置されている。前記複数の接続部材のそれぞれは、前記複数の入力端子部のうちの対応する入力端子部と電気的に接続される第１端子部を有している。さらに、前記複数の接続部材のそれぞれは、前記複数の出力端子部のうちの対応する出力端子部と電気的に接続される第２端子部と、前記第１端子部と前記第２端子部を電気的に接続している導電部とを有している。前記複数の接続部材のそれぞれが有する前記第１端子部は、前記対応する入力端子部を前記基板の厚み方向に沿って挟むように構成されている。
【０００７】
本発明の一態様に係る照明器具は、光源ユニットと、前記光源ユニットを支持する器具本体とを備えている。
【発明の効果】
【０００８】
本発明の光源ユニット及び照明器具は、製造工程の簡略化を図ることができるという効果がある。
【図面の簡単な説明】
【０００９】
【図１】図１は、本発明の一実施形態に係る光源ユニット及び照明器具の分解斜視図である。
【図２】図２は、同上の照明器具の断面図である。
【図３】図３は、同上の光源ユニットの電源装置の回路図である。
【図４】図４は、同上の電源装置の平面図である。
【図５】図５は、同上の光源ユニットの基板及びホルダを省略した接続部材の一部分の斜視図である。
【図６】図６は、同上の光源ユニットの基板、電源装置のプリント配線板及び接続部材の一部分の斜視図である。
【図７】図７Ａは、同上の光源ユニットの基板、取付部材、電源装置のプリント配線板及び接続部材の一部分の接続前の断面図である。図７Ｂは、同上の光源ユニットの基板、取付部材、電源装置のプリント配線板及び接続部材の一部分の接続後の断面図である。
【発明を実施するための形態】
【００１０】
本発明の一実施形態に係る光源ユニット及び照明器具について、図面を参照して詳細に説明する。なお、以下に説明する実施形態の照明器具は、天井に取り付けられる照明器具を例示するが、実施形態の照明器具は、壁などの天井以外の場所に取り付けられる照明器具であってもかまわない。また、以下の説明では、特に断りのない限り、図１に示す向きにおいて、光源ユニット及び照明器具の上下、左右、前後の各方向を規定する。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１１】
本実施形態の照明器具１は、図１及び図２に示すように光源ユニット２と、器具本体１０とで構成される。器具本体１０は、吊りボルト２００に固定され、天井１００に直付けされる。光源ユニット２は、器具本体１０に対して着脱可能に取り付けられる。
【００１２】
器具本体１０は、板金に曲げ加工を施すことで長尺かつ上面（天井１００との対向面）が開口する扁平な箱状に形成される。また、器具本体１０は、天井１００と反対側（下側）には光源ユニット２を収容するための矩形の凹部１１が器具本体１０長手方向（左右方向）の全長に亘って設けられている。また、器具本体１０の幅方向（前後方向）における凹部１１の両側には、それぞれ傾斜部１２が設けられている。傾斜部１２は、凹部１１の開口端縁から器具本体１０の幅方向（前後方向）に延出し、かつ、外側に向かって上方へ傾斜する。
【００１３】
また、凹部１１の底板１１１には、電源線３０を通すための孔１１１Ａが長手方向（左右方向）におけるほぼ中央に設けられている。さらに、この底板１１１には、長手方向（左右方向）における両端寄りの位置に吊りボルト２００を通すための孔１１１Ｂがそれぞれ設けられている。そして、底板１１１の下面には端子台２５が取り付けられる。端子台２５は、電源線３０と電気的に接続される。また、端子台２５から接地線を含む３本の電線２５０が引き出されている。さらに、これら３本の電線２５０の先端にプラグコネクタ２５１が電気的に接続されている。
【００１４】
光源ユニット２は、図２及び図５に示すように、光源部Ａ１、取付部材２１、カバー２３、電源装置４、接続部材５などを備える。光源部Ａ１は、複数（例えば、２つ）のＬＥＤモジュール２２を備えることが好ましい。
【００１５】
複数のＬＥＤモジュール２２は、長手方向（左右方向）に並んで配置されている。各ＬＥＤモジュール２２は、長手方向（左右方向）に長い矩形板状に形成された基板２２１を有する。基板２２１は、その表面（下面）に複数のＬＥＤ（発光ダイオード）２２０が長手方向（左右方向）に沿い、かつ、１列に並べて実装（配置）されている。また、複数のＬＥＤモジュール２２のいずれか１つに、２つの入力端子部２２２が設けられている（図５参照）。
【００１６】
また、各ＬＥＤモジュール２２において隣接するＬＥＤモジュール２２と対向する端部には、電源供給用の一対のコネクタ２２４がそれぞれ実装されている（図２参照）。そして、互いに隣接する両ＬＥＤモジュール２２の一対のコネクタ２２４同士が電気的に接続されることで、一方のＬＥＤモジュール２２から他方のＬＥＤモジュール２２に点灯電力が中継される。
【００１７】
取付部材２１は、板金に曲げ加工を施すことでＵ字状に形成され、長尺かつ矩形板状に形成された底板２１１と、底板２１１の左右方向（幅方向）における両端から上向きに延出される一対の側板２１２とで構成される。一対の側板２１２の先端（上端）には、図２に示すように、互いに離れる向き（外向き）に傾斜する一対の傾斜部２１２Ａがそれぞれ全長に亘って設けられている。なお、上述したＬＥＤモジュール２２は、たとえば、取付部材２１の底板２１１の一部を切り起こすことで形成された爪により取付部材２１に固定される。
【００１８】
また、取付部材２１は、長手方向（左右方向）における両端寄りの位置において幅方向（前後方向）の一端側に延びる一対の引掛金具２１４と、幅方向の他端側に配置される一対の引掛ばね２１５とを有している（図１参照）。
【００１９】
カバー２３は、光拡散性を有する材料（例えば乳白色のアクリル樹脂）により上面（取付部材２１側の面）が開口する長尺の箱形に形成されている。また、カバー２３は、前後方向（幅方向）において両端側から中央側に行くほど下側への突出量が大きくなるような凸レンズ形状の曲面部２３１を有している（図２参照）。
【００２０】
カバー２３の前後方向における両端部には、図２に示すように、光源ユニット２を器具本体１０に取り付けた状態で、上下方向において器具本体１０の凹部１１の開口端縁と重なる延出部２３２がそれぞれ設けられている。さらに、カバー２３の左右方向において延出部２３２の内側には、上側（取付部材２１側）に突出する突壁部２３３がそれぞれ全長に亘って設けられている。各突壁部２３３の先端には内向きに突出する突起部２３３Ａがそれぞれ設けられている。また、各突壁部２３３の根元近くには、それぞれ内向きに突出する支持片２３３Ｂが突出している。
【００２１】
電源装置４は、プリント配線板４０に電子部品が実装されて構成される電源回路４９と、電源回路４９を収納するケース４２とを有する。電源回路４９の回路図を図３に示す。電源回路４９は、電源入力部４００、フィルタ回路４０１、整流部４０２、昇圧回路４０３、降圧回路４０４、２つの出力端子部４０５、主制御回路４０６、制御電源回路４０７、調光制御回路４０８、消灯制御回路４０９、信号入力部４１０などを備える。
【００２２】
電源入力部４００は、レセプタクルコネクタからなり、端子台２５から引き出された電線２５０と電気的に接続されているプラグコネクタ２５１（図１参照）が差込接続される。フィルタ回路４０１は、コモンモードチョークコイル４０１０と、アクロス・ザ・ラインコンデンサ４０１１とで構成される。整流部４０２は、ダイオードブリッジで構成される。整流部４０２は、フィルタ回路４０１及び電源入力部４００を介して交流電源３から入力される交流電圧（交流電流）を全波整流し、脈流電圧（脈流電流）を直流出力端子から出力する。
【００２３】
昇圧回路４０３は、チョークコイルＬ１、スイッチング素子Ｑ１、整流素子Ｄ１、平滑コンデンサＣ１などで構成される、従来周知の昇圧チョッパ回路（力率改善回路）である。昇圧回路４０３は、整流部４０２から出力される脈流電圧を、当該脈流電圧のピーク値よりも高い直流電圧（例えば、４００［Ｖ］の直流電圧）に変換する。
【００２４】
また、降圧回路４０４は、スイッチング素子Ｑ２、インダクタＬ２、整流素子Ｄ２、抵抗Ｒ１、平滑コンデンサＣ２などで構成される、従来周知の降圧チョッパ回路（バックコンバータ）である。降圧回路４０４は、昇圧回路４０３から出力される直流電圧（第１直流電圧）を、負荷であるＬＥＤモジュール２２に適した直流電圧（第２直流電圧）に降圧する。２つの出力端子部４０５はそれぞれ、プリント配線板４０（の上面）に形成されているランドからなる。これら２つの出力端子部４０５はそれぞれ、降圧回路４０４の一対の出力端子（平滑コンデンサＣ２の両端）のうちの対応する１つの出力端子と電気的に接続される。
【００２５】
主制御回路４０６は、昇圧回路４０３のスイッチング素子Ｑ１並びに降圧回路４０４のスイッチング素子Ｑ２をそれぞれスイッチングし、昇圧回路４０３の出力電圧を一定に維持するとともに、降圧回路４０４の出力電流を目標値に一致させるように構成される。制御電源回路４０７は、昇圧回路４０３の出力電圧から制御電圧（例えば、１５［Ｖ］〜３［Ｖ］程度の直流電圧）を生成するように構成される。主制御回路４０６は、制御電源回路４０７から供給される制御電圧で動作する。
【００２６】
信号入力部４１０は、レセプタクルコネクタからなり、信号線を介して伝送されてくる制御信号が信号入力部４１０を介して調光制御回路４０８と消灯制御回路４０９に入力される。
【００２７】
消灯制御回路４０９は、制御信号に応じて、点灯中のＬＥＤモジュール２２を消灯させるための消灯信号を生成して主制御回路４０６に出力するように構成される。主制御回路４０６は、消灯信号を受け取ると、スイッチング素子Ｑ２のスイッチングを中止して降圧回路４０４を停止させ、ＬＥＤモジュール２２を消灯するように構成される。
【００２８】
また、調光制御回路４０８は、制御信号に応じて、調光信号を生成して主制御回路４０６に出力するように構成される。調光信号は、ＬＥＤモジュール２２の光出力（調光レベル）を指示するための信号である。なお、調光レベルは、定格電力が供給されているときのＬＥＤモジュール２２の光出力を１００［％］としたとき、ＬＥＤモジュール２２に供給される単位時間当たりの平均電力の定格電力に対する比率［％］で表される。例えば、ＬＥＤモジュール２２に供給される単位時間当たりの平均電力が定格電力の半分のとき、調光レベルが５０［％］となる。言い換えると、調光制御回路４０８は、制御信号で指示される調光レベルが５０［％］であれば、降圧回路４０４からＬＥＤモジュール２２に供給される単位時間当たりの平均電力を定格電力の半分にするように指示する調光信号を生成する。主制御回路４０６は、調光制御回路４０８から受け取る調光信号に応じて、スイッチング素子Ｑ２のデューティ比を調整するように構成されることが好ましい。さらに詳しく説明すると、調光制御回路４０８は、抵抗Ｒ１の両端電圧から降圧回路４０４の出力電流を検出し、当該出力電流の平均値を調光レベルに対応した目標値に一致させるように、調光信号を生成するように構成されることが好ましい。
【００２９】
プリント配線板４０は、図４に示すように、長尺の矩形平板状の絶縁基板の裏面に配線用の導体（銅はく）がプリントされて構成される。プリント配線板４０の表面（下面）に、コネクタや平滑コンデンサ、コモンモードチョークコイル４０１０などの、いわゆるリード部品が実装される。そして、プリント配線板４０の裏面（上面）に、整流部４０２、主制御回路４０６、調光制御回路４０８、消灯制御回路４０９などの表面実装部品が実装される。ここで、電源入力部４００は、プリント配線板４０の長手方向（左右方向）の端部の表面に実装される。一方、信号入力部４１０は、プリント配線板４０の長手方向（左右方向）の他端部の表面に実装される。
【００３０】
ケース４２は、図２及び図４に示すように、底板４２０と、底板４２０の短手方向に沿った端縁から立ち上がる一対の第１側板４２１Ａ、４２１Ｂと、底板４２０の長手方向に沿った端縁から立ち上がる一対の第２側板４２２Ａ、４２２Ｂとを有する。すなわち、ケース４２は、底板４２０に対向する面（下面）が開放された長尺の箱形に形成されている。また、ケース４２は、一対の第２側板４２２Ａ、４２２Ｂの片方である第２側板４２２Ａの先端から外向きに突出する固定板４２３を備えている。固定板４２３は、図２に示すように角樋状に形成されている。
【００３１】
プリント配線板４０は、裏面を底板４２０に対向させる向きでケース４２内に収納され、一対の第２側板４２２Ａ、４２２Ｂから切り起こされる４つの爪４２２０でケース４２に固定される（図４参照）。なお、電源入力部４００の差込口は、第１側板４２１Ｂに設けられた矩形の窓孔を通してケース４２の外に突出する。
【００３２】
電源装置４は、図２に示すように、ケース４２の底板４２０が上になるように、光源ユニット２の取付部材２１の上面（第２面）に取り付けられる。具体的には、第２側板４２２Ｂ及び固定板４２３がそれぞれ取付部材２１の一対の側板２１２にねじ止めされることによって、ケース４２が取付部材２１に固定される。また、取付部材２１に取り付けられた状態において、ケース４２の開口が取付部材２１の底板２１１で塞がれる。
【００３３】
２つの接続部材５はそれぞれ、第１端子部５０、第２端子部５１及び導電部５２を有している（図５参照）。なお、２つの接続部材５は、同一の構造を有している。したがって、以下では、１つの接続部材５について説明する。
【００３４】
第１端子部５０は、２つの入力端子部２２２のうちで一対一に対応する１つの入力端子部２２２と電気的に接続される。ここで、ＬＥＤモジュール２２の基板２２１は、図５に示すように、短手方向（前後方向）の両端に開口する一対の切欠部２２１０を有している。一対の切欠部２２１０はそれぞれ、基板２２１の厚み方向（上下方向）から見て矩形状に形成されている。また、一対の切欠部２２１０のそれぞれ右側の端縁から、矩形板状の突部２２１１が突出している。これらの突部２２１１は、基板２２１の長手方向に沿って左向きに突出している。そして、これら２つの突部２２１１のそれぞれの表面（下面）に、銅はくからなる入力端子部２２２が形成されている（図５参照）。つまり、２つの入力端子部２２２はそれぞれ、いわゆるエッジコネクタ端子で構成されている。
【００３５】
第１端子部５０は、エッジコネクタ端子からなる入力端子部２２２とかん合されるエッジソケットコネクタである。より詳細には、第１端子部５０は、接触片５００と、ばね片５０１と、接触片５００とばね片５０１を連結する連結片５０２とを有している。第１端子部５０は、ばね性を有する金属板が曲げ加工されることにより、概ねΩ形状に形成されることが好ましい。第１端子部５０は、接触片５００とばね片５０１の間に、突部２２１１及び入力端子部２２２が差し込まれる。第１端子部５０のばね片５０１は、突部２２１１が差し込まれることで接触片５００から離れる向きに撓む。ばね片５０１は、ばね力によって接触片５００との間で突部２２１１及び入力端子部２２２を挟み込み、入力端子部２２２と導通する。その結果、第１端子部５０が入力端子部２２２と電気的に接続される（図５参照）。
【００３６】
第２端子部５１は、図５に示すように、端子片５１０と、支持片５１１とを有することが好ましい。端子片５１０は、棒状の金属の一端部分（下端部分）を半長円形状に湾曲させるように形成されている。一方、支持片５１１は、金属によって細い棒状に形成されている。
【００３７】
導電部５２は、第１導電片５２０と、第２導電片５２１とを有することが好ましい。第１導電片５２０は、Ｔ字形状に形成されている。第１導電片５２０は、接触片５００の後端縁から上向きに突出している（図５参照）。第２導電片５２１は、Ｔ字形状に形成されている。第２導電片５２１は、接触片５００の前端縁から上向きに突出している（図５参照）。さらに、第２導電片５２１の上部の左端に端子片５１０が繋がり、第２導電片５２１の上部の右端に支持片５１１が繋がっている。なお、第１端子部５０と、第２端子部５１と、導電部５２とは、銅又は銅合金などの金属材料が加工されることで一体に形成されていることが好ましい。
【００３８】
第２端子部５１は、電源装置４のプリント配線板４０に設けられている出力端子部４０５と電気的に接続されている。出力端子部４０５は、プリント配線板４０の裏面（上面）において、プリント配線板４０を厚み方向（上下方向）に貫通する２つのスルーホール４３の周囲に跨がって形成されているランドで構成されている（図７Ａ参照）。第２端子部５１は、出力端子部４０５の２つのスルーホール４３のそれぞれに端子片５１０と支持片５１１がそれぞれ挿通される。そして、第２端子部５１の端子片５１０及び支持片５１１がそれぞれ、プリント配線板４０の裏面（上面）において出力端子部４０５に半田接合される。このようにして、第２端子部５１は、電源装置４のプリント配線板４０に設けられている出力端子部４０５と電気的に接続される（図７Ａ参照）。
【００３９】
ここで、２つの第２端子部５１はそれぞれ、電気絶縁性を有するホルダ５３に保持されることが好ましい。なお、２つのホルダ５３は、同一の構造を有している。したがって、以下では、１つのホルダ５３について説明する。ホルダ５３は、ホルダ本体５４と、ホルダカバー５５とを有することが好ましい（図６参照）。ホルダ本体５４は、収容部５４０、台部５４１、一対の支え部５４２、囲い部５４３などを有することが好ましい（図６及び図７参照）。台部５４１は、矩形板状に形成されている。収容部５４０は、内部が空洞である角筒状に形成されている。収容部５４０は、台部５４１の下面における長手方向の中央から下向きに突出している。収容部５４０の内部に、第２端子部５１と導電部５２とが収容される（図７Ａ参照）。ただし、第２端子部５１の端子片５１０及び支持片５１１は、台部５４１を貫通する２つの孔５４１０のうちの対応する孔５４１０に挿通されて収容部５４０の外に突出している。一対の支え部５４２はそれぞれ、収容部５４０の前後両側の側面と、台部５４１の長手方向の両端とを繋いでいる。つまり、収容部５４０は、一対の支え部５４２によって左右両側から支えられている。囲い部５４３は、収容部５４０の左側面における下端から左向きに突出する底壁５４３０と、底壁５４３０の左端から下向きに突出する側壁５４３１と、底壁５４３０の後端から下向きに突出する後壁５４３２とを有している。囲い部５４３は、収容部５４０の下方に配置されている第１端子部５０の上方、左方及び後方を囲うように構成されている（図６参照）。
【００４０】
ホルダカバー５５は、矩形板状の第１壁部５５０と、第１壁部５５０の下端に繋がった矩形板状の第２壁部５５１とを有している。ホルダカバー５５は、ホルダ本体５４の前面に取り付けられる。ホルダカバー５５の第１壁部５５０が収容部５４０の開口面（前面）を覆う。また、ホルダカバー５５の第２壁部５５１が、囲い部５４３の後壁５４３２と前後方向に対向して第１端子部５０の前方を囲っている（図６参照）。
【００４１】
ところで、ホルダ５３は、図７Ａに示すように、一対の固定部５４４を有することが好ましい。一対の固定部５４４は、先細りした柱状に形成され、ホルダ５３の台部５４１の上面における左右両端から上向きに突出している。一対の固定部５４４は、プリント配線板４０に設けられている２つの固定孔４４のそれぞれに１つずつ圧入されている。つまり、ホルダ５３は、一対の固定部５４４がプリント配線板４０の２つの固定孔４４に圧入されることでプリント配線板４０に固定されている（図７Ａ参照）。
【００４２】
次に、光源ユニット２の組立手順を説明する。ただし、２つの第２端子部５１はそれぞれ、プリント配線板４０の２つの出力端子部４０５のうちの対応する出力端子部４０５と半田接合（電気的に接続）されている。さらに、２つの第２端子部５１をそれぞれ保持した２つのホルダ５３が、プリント配線板４０にそれぞれ機械的に固定されている。
【００４３】
まず、組立作業を行う作業者は、ケース４２の開口面（下面）を取付部材２１の底板２１１で塞ぐように、電源装置４を取付部材２１の第２面（上面）に取り付ける。このとき、作業者は、底板２１１に設けられている２つの孔２１３のそれぞれに、対応するホルダ５３の先端（下端）を挿入する（図７Ａ参照）。つまり、底板２１１に設けられた２つの孔２１３は、底板２１１の第２面（上面）側において、電源装置４のケース４２に囲われて塞がれている。したがって、本実施形態の光源ユニット２は、底板２１１の第２面側から虫や塵埃などの異物が、底板２１１の孔２１３を通過して底板２１１の第１面側に進入することを抑制することができる。
【００４４】
続いて、作業者は、ＬＥＤモジュール２２を取付部材２１の底板２１１の第１面（下面）に固定する。このとき、作業者は、基板２２１の２つの切欠部２２１０のそれぞれに、対応する第１端子部５０（ホルダ５３の囲い部５４３）を挿通する（図７Ａ参照）。そして、作業者は、ＬＥＤモジュール２２（基板２２１）を長手方向（左右方向）に沿って、左向き（矢印Ｘ１の向き）に底板２１１と平行に移動させる。そうすると、基板２２１に設けられている２つの入力端子部２２２（及び突部２２１１）がそれぞれ、対応する接続部材５の第１端子部５０にかん合される（図５、図６及び図７Ｂ参照）。つまり、２つの第１端子部５０のそれぞれが、対応する入力端子部２２２と電気的に接続される。その結果、ＬＥＤモジュール２２の２つの入力端子部２２２のそれぞれと、電源装置４（電源回路４９）の２つの出力端子部４０５のうちの対応する出力端子部４０５とが２つの接続部材５によってそれぞれ電気的に接続される（図６参照）。
【００４５】
そして最後に、作業者は、取付部材２１の開口側を上向きにした状態でカバー２３を取付部材２１に組み付ける。このとき、カバー２３の一対の突壁部２３３に設けられた一対の突起部２３３Ａが、取付部材２１の一対の側板２１２の一対の傾斜部２１２Ａに引っ掛かり、カバー２３が取付部材２１に取り付けられる（図２参照）。以上のような手順で光源ユニット２が組み立てられる。
【００４６】
ここで、特許文献１記載の光源ユニットは、電源装置とＬＥＤモジュールのコネクタとを電気的に接続する電線が取付部材の挿通孔に挿通されていた。そのため、特許文献１記載の光源ユニットは、光源ユニットの組立工程（製造工程）の簡略化が困難であった。
【００４７】
これに対して本実施形態の光源ユニット２は、上述のように、ＬＥＤモジュール２２（基板２２１）が取付部材２１に対してスライドされるだけで、電源装置４とＬＥＤモジュール２２との電気的な接続作業が完了するように構成されている。そのため、本実施形態の光源ユニット２は、特許文献１記載の光源ユニットのような従来例と比較して、（光源ユニット２の）製造工程の簡略化を図ることができる。
【００４８】
また、本実施形態の光源ユニット２において、２つの接続部材５のそれぞれは、第１端子部５０と第２端子部５１と導電部５２を支持するホルダ５３を有している。これら２つのホルダ５３はそれぞれ、プリント配線板４０に固定されている。さらに、第１端子部５０は、接触片５００と、ばね片５０１と、接触片５００とばね片５０１を連結する連結片５０２とを有している。そして、接触片５００とばね片５０１の間に、基板２２１及び対応する入力端子部２２２が差し込まれている。つまり、本実施形態の光源ユニット２は、ＬＥＤ２２０の発する熱で基板２２１が伸長した場合でも、ばね片５０１のばね力によって第１端子部５０と入力端子部２２２との電気的な接続状態を維持することができる。その結果、本実施形態の光源ユニット２は、ＬＥＤモジュール２２と電源装置４を電気的に接続する接続部材５の信頼性の向上を図ることができる。さらに、第２端子部５１の端子片５１０の端部（下端部）に、Ｕ字形状に湾曲した湾曲部５１００が設けられている（図５及び図７参照）。そのため、この湾曲部５１００が撓むことにより、第１端子部５０が、基板２２１の厚み方向（上下方向）、及び基板２２１の長手方向（左右方向）のそれぞれの方向に変位することができる。したがって、本実施形態の光源ユニット２は、基板２２１の熱膨張等によって、第１端子部５０と入力端子部２２２（突部２２１１）の相対的な位置が変動した場合であっても、第１端子部５０と入力端子部２２２との電気的な接続状態を維持することができる。その結果、本実施形態の光源ユニット２は、ＬＥＤモジュール２２と電源装置４を電気的に接続する接続部材５の信頼性の更なる向上を図ることができる。
【００４９】
次に、本実施形態の照明器具１の施工手順を説明する。まず、図１に示すように、施工者は、天井裏に先行配線された電源線３０と信号線を器具本体１０の孔１１１Ａに挿通し、さらに室内側に露出する各吊りボルト２００を、対応する孔１１１Ｂに通す。その後、施工者は、各吊りボルト２００にナット３００をねじ込んで器具本体１０を天井１００に固定する。その後、施工者は、電源線３０を端子台２５に接続し、さらに端子台２５のプラグコネクタ２５１を電源装置４の電源入力部４００（図４参照）に差込接続する。続いて、施工者は、信号線を電源装置４の信号入力部４１０（図４参照）に電気的に接続する。
【００５０】
そして最後に、施工者は、器具本体１０の一方の側板１１２に設けられた一対の挿通孔１１２Ａにそれぞれ一対の引掛金具２１４の先端を引っ掛けた後、一対の引掛ばね２１５を器具本体１０の他方の側板１１２に設けられた引掛部１１２０に引っ掛ける。そして、施工者が、引掛金具２１４を支点として光源ユニット２を持ち上げるように回転させると、引掛ばね２１５が引掛部１１２０に引っ掛かったままで元の状態に戻ることにより、引掛ばね２１５のばね力で光源ユニット２が器具本体１０に保持される。以上のような手順で照明器具１が天井１００に施工される。
【００５１】
本実施形態の光源ユニット２は上述のように、光源部Ａ１と、光源部Ａ１に電力を供給する電源回路４９を有する電源装置４とを備えている。また、本実施形態の光源ユニット２は、光源部Ａ１及び電源装置４が取り付けられる取付部材２１と、電源回路４９と光源部Ａ１を電気的に接続する複数の接続部材５とを備えている。光源部Ａ１は、１つ又は複数の固体光源（ＬＥＤ２２０）と、１つ又は複数のＬＥＤ２２０が表面に配置される基板２２１と、基板２２１に設けられ、１つ又は複数のＬＥＤ２２０が電気的に接続される複数の入力端子部２２２とを有している。電源回路４９は、プリント配線板４０を有している。プリント配線板４０は、電源回路４９で生成される電力を出力する複数の出力端子部４０５を有している。取付部材２１は、板状に形成され、第１面に光源部Ａ１が取り付けられ、第１面の裏面となる第２面に電源装置４が取り付けられている。さらに、取付部材２１は、第１面から第２面に貫通する孔２１３が設けられている。複数の出力端子部４０５は、取付部材２１の厚み方向から見て孔２１３と重なる位置に配置されている。複数の入力端子部２２２は、取付部材２１の厚み方向から見て孔２１３と重なる位置に配置されている。複数の接続部材５のそれぞれは、複数の入力端子部２２２のうちの対応する入力端子部２２２と電気的に接続される第１端子部５０と、複数の出力端子部４０５のうちの対応する出力端子部４０５と電気的に接続される第２端子部５１とを有している。さらに、複数の接続部材５のそれぞれは、第１端子部５０と第２端子部５１を電気的に接続している導電部５２を有している。複数の接続部材５のそれぞれが有する第１端子部５０は、対応する入力端子部２２２を基板２２１の厚み方向に沿って挟むように構成されている。
【００５２】
また、本実施形態の照明器具１は、光源ユニット２と、光源ユニット２を支持する器具本体１０とを備えている。
【００５３】
本実施形態の光源ユニット２は上述のように構成されるので、特許文献１記載の光源ユニットのような従来例と比較して、製造工程の簡略化を図ることができる。つまり、本実施形態の光源ユニット２は、基板２２１が取付部材２１に対してスライドされると、電源装置４と光源部Ａ１とが電気的に接続される。その結果、本実施形態の光源ユニット２は、電源装置と光源部を電線で接続する作業が不要になるので、製造工程の簡略化を図ることができる。また、本実施形態の照明器具１は、光源ユニット２の製造工程の簡略化に伴って、（照明器具１の）製造工程の簡略化を図ることができる。
【００５４】
また、本実施形態の光源ユニット２において、複数の接続部材５のそれぞれは、第１端子部５０と第２端子部５１と導電部５２を支持するホルダ５３を有することが好ましい。ホルダ５３は、プリント配線板４０に固定されていることが好ましい。第１端子部５０は、接触片５００と、ばね片５０１と、接触片５００とばね片５０１を連結する連結片５０２とを有することが好ましい。接触片５００とばね片５０１の間に、基板２２１（の突部２２１１）及び対応する入力端子部２２２が差し込まれていることが好ましい。
【００５５】
本実施形態の光源ユニット２が上述のように構成されれば、ＬＥＤ２２０の発する熱で基板２２１が伸長した場合でも、ばね片５０１のばね力によって第１端子部５０と入力端子部２２２との電気的に接続状態を維持することができる。その結果、本実施形態の光源ユニット２は、光源部Ａ１と電源装置４を電気的に接続する接続部材５の信頼性の向上を図ることができる。
【００５６】
さらに、本実施形態の光源ユニット２において、電源装置４は、電源回路４９を収容するケース４２を有することが好ましい。ケース４２は、一面が開放されている箱形に形成されていることが好ましい。電源装置４は、取付部材２１の第２面でケース４２の一面を塞ぐように（取付部材２１の）第２面に取り付けられていることが好ましい。
【００５７】
本実施形態の光源ユニット２が上述のように構成されれば、取付部材２１に設けられている孔２１３をケース４２で囲むことにより、虫や塵埃などの異物が孔２１３を通して固体光源（ＬＥＤ２２０）の方へ進入することを抑制することができる。
【符号の説明】
【００５８】
Ａ１  光源部
１  照明器具
２  光源ユニット
４  電源装置
５  接続部材
１０  器具本体
２１  取付部材
２２  ＬＥＤモジュール（光源部）
４０  プリント配線板
４２  ケース
４９  電源回路
５０  第１端子部
５１  第２端子部
５２  導電部
５３  ホルダ
２１３  孔
２２０  ＬＥＤ（固体光源）
２２１  基板
２２２  入力端子部
４０５  出力端子部
５００  接触片
５０１  ばね片
５０２  連結片
【図１】
2017174569.tif 000003
【図２】
2017174569.tif 000004
【図３】
2017174569.tif 000005
【図４】
2017174569.tif 000006
【図５】
2017174569.tif 000007
【図６】
2017174569.tif 000008
【図７】
2017174569.tif 000009